(57)【要約】【課題】画像投射装置の使用状況に最適な焦点距離をユーザ自身が容易に変更及び設定する事ができる画像投射装置を提供する。【解決手段】固定焦点の投射レンズを備え、前記投射レンズから投射面へ画像を投射する画像投射装置であって、前記投射レンズを構成する全部又は一部のレンズの位置を、光軸方向に沿い、かつ当該画像投射装置の最適焦点距離を異ならしめる複数の所定位置に位置決めする位置決め機構を備えた画像投射装置とした。【選択図】図４
2008083602.tif 000002
【特許請求の範囲】
【請求項１】
固定焦点の投射レンズを備え、前記投射レンズから投射面へ画像を投射する画像投射装置であって、
前記投射レンズを構成する全部又は一部のレンズの位置を、光軸方向に沿い、かつ当該画像投射装置の最適焦点距離を異ならしめる複数の所定位置に位置決めする位置決め機構を備えた画像投射装置。
【請求項２】
前記位置決め機構は、
前記投射レンズを構成する全部又は一部のレンズを保持する投射レンズ保持部と、
前記投射レンズ保持部を光軸方向に沿った複数の異なる位置で係止する投射レンズ保持部係止機構と、
を備えたことを特徴とする請求項１に記載の画像投射装置。
【請求項３】
前記投射レンズ保持部の外周面に突出する係止部を設けると共に、前記投射レンズ保持部係止機構の内周に前記係止部を係止可能な係合部を光軸方向に複数個設け、前記係止部を、前記複数の係合部のうち任意の係合部に係止して、投射レンズ保持部の位置を設定する
ことを特徴とする請求項２に記載の画像投射装置。
【請求項４】
前記投射レンズ保持部又は前記投射レンズ保持部係止機構に、前記レンズ保持部の係止位置を視覚的に表示する目盛りを設けた
ことを特徴とする請求項２又は請求項３に記載の画像投射装置。
【請求項５】
前記目盛は、前記レンズ保持部の係止位置に対応する最適焦点距離の被写界深度内において投影可能な最大の画像サイズを表すことを特徴とする請求項４に記載の画像投射装置。
【請求項６】
前記目盛りを前記レンズ保持部に設け、前記投射レンズ保持部係止機構に前記目盛りを視認するための開口窓を設けた
ことを特徴とする請求項４又は請求項５に記載の画像投射装置。
【請求項７】
前記レンズ保持部の係止位置を視認可能な複数の開口窓を前記投射レンズ保持部係止機構に前記目盛りに対応させて設けたことを特徴とする請求項４〜６のいずれか１項に記載の画像投射装置。
【請求項８】
前記係止部は、前記係合部への係止時に開口窓から突出することを特徴とする請求項３から７のいずれか１項に記載の画像投射装置。
【請求項９】
前記一部のレンズは前玉レンズであることを特徴とする請求項１〜８のいずれか１項に記載の画像投射装置。
【発明の詳細な説明】
【技術分野】
【０００１】
本発明は、画像投射装置に関し、特に、投射レンズを構成するレンズを光軸方向へ位置決めする位置決め機構を備えた画像投射装置に関する。
【背景技術】
【０００２】
従来、画像投射装置において、真にピントが合う距離である最適焦点距離の前後の一定範囲においても合焦状態であるように結像する事ができる投射レンズが多く用いられている。
【０００３】
しかし、合焦状態となる範囲が狭く、一定範囲内であっても最適焦点距離ではない焦点距離に投射面を設定した場合、一見合焦状態に見えても真に焦点が合う位置で投射しているわけではないので、画質の低下は否めず、長時間の鑑賞によって鑑賞者の目を疲労させる虞があった。
【０００４】
そのため、従来、投射レンズの最適焦点距離を調節可能な構成として、レンズを保持するレンズ保持体と、レンズ保持体の光軸方向から当接して設けられ、周方向に厚みが変化しているリング体と、リング体を支えるメインフレームとを備えた光学機器の焦点調節機構が知られている(例えば、特許文献１参照)。
【０００５】
この焦点調節機構は、周方向に光軸方向の厚みが変化しているリング体をレンズ光軸回りに回動させることにより、レンズ保持体を光軸方向に進退動させて、焦点位置を調節するものである。
【特許文献１】特開２００２−３０３７７６号公報
【発明の開示】
【発明が解決しようとする課題】
【０００６】
しかしながら、上記特許文献１に記載の焦点位置調節機構は、リング体の周方向に形成した光軸方向の厚み差を利用してレンズを進退動させるので、光軸方向に形成する厚み差が大きい程レンズの移動幅を大きくする事ができるものの、リング体に大幅な厚み差を形成することは困難であるためレンズの移動幅が限定され、焦点位置の微小な調整にしか対応する事ができなかった。従って、製造時に生じる部品寸法の誤差によって発生する焦点位置の微小なずれを製造ラインでロット毎に調節する事には適しているが、ユーザ自身が画像投射装置の使用状況等に対応する最適な焦点位置に調節することには適せず、使い勝手が悪かった。
【０００７】
本発明は、斯かる事情に鑑みてなされたものであって、画像投射装置の使用状況に適した最適焦点距離をユーザ自身が容易に変更及び設定する事ができる画像投射装置を提供する。
【課題を解決するための手段】
【０００８】
上記課題を解決するため、請求項１に係る本発明においては、固定焦点の投射レンズを備え、前記投射レンズから投射面へ画像を投射する画像投射装置であって、前記投射レンズを構成する全部又は一部のレンズの位置を、光軸方向に沿い、かつ当該画像投射装置の最適焦点距離を異ならしめる複数の所定位置に位置決めする位置決め機構を備えた画像投射装置とした。
【０００９】
また、請求項２に係る本発明においては、請求項１に記載の画像投射装置において、前記位置決め機構は、前記投射レンズを構成する全部又は一部のレンズを保持する投射レンズ保持部と、前記投射レンズ保持部を光軸方向に沿った複数の異なる位置で係止する投射レンズ保持部係止機構と、を備えたことを特徴とした。
【００１０】
また、請求項３に係る本発明においては、請求項２に記載の画像投射装置において、前記投射レンズ保持部の外周面に突出する係止部を設けると共に、前記投射レンズ保持部係止機構の内周に前記係止部を係止可能な係合部を光軸方向に複数個設け、前記係止部を、前記複数の係合部のうち任意の係合部に係止して、投射レンズ保持部の位置を設定することを特徴とした。
【００１１】
また、請求項４に係る本発明においては、請求項２又は請求項３に記載の画像投射装置において、前記投射レンズ保持部又は前記投射レンズ保持部係止機構に、前記レンズ保持部の係止位置を視覚的に表示する目盛りを設けたことを特徴とした。
【００１２】
また、請求項５に係る本発明においては、請求項４に記載の画像投射装置において、前記目盛は、前記レンズ保持部の係止位置に対応する最適焦点距離の被写界深度内において投影可能な最大の画像サイズを表すことを特徴とした。
【００１３】
また、請求項６に係る本発明においては、請求項４又は請求項５に記載の画像投射装置において、前記目盛りを前記レンズ保持部に設け、前記投射レンズ保持部係止機構に前記目盛りを視認するための開口窓を設けたことを特徴とした。
【００１４】
また、請求項７に係る本発明においては、請求項４〜６のいずれか1項に記載の画像投射装置において、前記レンズ保持部の係止位置を視認可能な複数の開口窓を前記投射レンズ保持部係止機構に前記目盛りに対応させて設けたことを特徴とした。
【００１５】
また、請求項８に係る本発明においては、請求項３〜７のいずれか１項に記載の画像投射装置において、前記係止部は、前記係合部への係止時に開口窓から突出することを特徴とした。
【００１６】
また、請求項９に係る本発明においては、請求項１〜８のいずれか１項に記載の画像投射装置において、前記一部のレンズは前玉レンズであることを特徴とした。
【発明の効果】
【００１７】
請求項１に記載の本発明では、固定焦点の投射レンズを備え、前記投射レンズから投射面へ画像を投射する画像投射装置であって、前記投射レンズを構成する全部又は一部のレンズの位置を、光軸方向に沿い、かつ当該画像投射装置の最適焦点距離を異ならしめる複数の所定位置に位置決めする位置決め機構を備えたため、画像投射装置の最適焦点距離を調節することで、投射面上に最も鮮明に画像を投射する事ができる最適な投射距離を調節設定する事ができ、画像投射装置の設置場所等の条件に合わせて鮮明な投射画像を得る事ができる。
【００１８】
また、請求項２に記載の本発明では、請求項１に記載の画像投射装置において、前記位置決め機構は、前記投射レンズを構成する全部又は一部のレンズを保持する投射レンズ保持部と、前記投射レンズ保持部を光軸方向に沿った複数の異なる位置で係止する投射レンズ保持部係止機構と、を備えたことを特徴としたため、位置決め機構を簡単な構成として位置決め操作を容易に行なう事ができる。
【００１９】
また、請求項３に記載の本発明では、請求項２に記載の画像投射装置において、前記投射レンズ保持部の外周面に突出する係止部を設けると共に、前記投射レンズ保持部係止機構の内周に前記係止部を係止可能な係合部を光軸方向に複数個設け、前記係止部を、前記複数の係合部のうち任意の係合部に係止して、投射レンズ保持部の位置を設定することを特徴としたため、位置決め機構を簡単な構成として位置決め操作を容易に行なう事ができる。
【００２０】
また、請求項４に記載の本発明では、請求項２又は請求項３に記載の画像投射装置において、前記投射レンズ保持部又は前記投射レンズ保持部係止機構に、前記レンズ保持部の係止位置を視覚的に表示する目盛りを設けたことを特徴としたため、レンズ保持部の係止位置が一目瞭然であって、任意の固定焦点位置へ容易に設定する事ができる。
【００２１】
また、請求項５に記載の本発明では、請求項４に記載の画像投射装置において、前記目盛は、前記レンズ保持部の係止位置に対応する最適焦点距離の被写界深度内において投影可能な最大の画像サイズを表すことを特徴としたため、レンズ保持部の係止位置により決定される被写界深度内において投影可能な最大の画像サイズを、目盛を視認することにより容易に認識することができる。
【００２２】
また、請求項６に記載の本発明では、請求項４又は請求項５に記載の画像投射装置において、前記目盛りを前記レンズ保持部に設け、前記投射レンズ保持部係止機構に前記目盛りを視認するための開口窓を設けたことを特徴としたため、レンズ保持部の係止位置が一目瞭然であって、任意の固定焦点位置へ容易に設定する事ができる。
【００２３】
また、請求項７に記載の本発明では、請求項４〜６のいずれか1項に記載の画像投射装置において、前記レンズ保持部の係止位置を視認可能な複数の開口窓を前記投射レンズ保持部係止機構に前記目盛りに対応させて設けたことを特徴としたため、レンズ保持部の係止位置が一目瞭然であって、任意の固定焦点位置へ容易に設定する事ができる。
【００２４】
また、請求項８に記載の本発明では、請求項３〜７のいずれか１項に記載の画像投射装置において、前記係止部は、前記係合部への係止時に開口窓から突出することを特徴としたため、レンズ保持部の係止位置を容易に視認する事ができる。
【００２５】
また、請求項９に記載の本発明では、請求項１〜８のいずれか１項に記載の画像投射装置において、光軸方向に沿い、かつ当該画像投射装置の最適焦点距離を異ならしめる複数の所定位置に位置決めする前記一部のレンズは前玉レンズであることを特徴としたため、レンズ位置を調節する位置決め機構を簡単な構成とする事ができて、位置決め操作を容易にする事ができる。
【発明を実施するための最良の形態】
【００２６】
以下、本発明の第１実施形態について図面を参照して詳説する。
【００２７】
図１は、本発明の第１実施形態に係る画像投射装置Ａの概観図である。
【００２８】
図１に示すように、本実施形態に係る画像投射装置Ａは、光源、液晶表示素子、液晶表示素子を駆動するドライバ、画像データの受信を行う入力ポート等の各素子を収容する筐体１と、この筐体１の前面に設けられ、液晶表示素子に表示された画像をスクリーンＳや壁面等の投射面に拡大投射する投射レンズＬと、を備えている。また図１において、画像投射装置Ａには画像データを送信するＰＣ端末１０を接続している。
【００２９】
この投射レンズＬは、焦点位置を固定して被写界深度を充分に大きく設定することで、投射面に投射する画像が広い範囲で合焦状態と見えるようにした固定焦点式の投射レンズである。また、半画角４０度以上の広角の投射レンズである。図２は、画像投射装置Ａにより画像を投射した状態を示す説明図であって、画像投射装置Ａの最適焦点距離を、例としてｘ１の位置に設定した状態を示している。ｙ１、ｙ２はそれぞれ、最適焦点距離をｘ１、ｘ２の位置に設定したときの被写界深度を示している。図２のようにｘ１の位置に最適焦点距離を設定した場合、被写界深度ｙ１内であれば、スクリーンＳにおいて実質的に合焦状態を保ったまま、投影画像の大きさをＨ１ＳからＨ１Ｌまで変化させることができる。
【００３０】
図２において、スクリーンＳは、最適焦点距離がｘ１であるときの被写界深度ｙ１内に位置しているため、スクリーンＳにおいて合焦状態の投射画像を得る事ができるが、画像投射装置Ａの最適焦点距離をｘ１からｘ２に移動させて、画像投射装置Ａの最適焦点距離を投射距離と等しくすることで、スクリーンＳ上において最も鮮明な画像を得る事ができるようになる。このようにｘ２の位置に最適焦点距離を設定した場合、被写界深度ｙ２内であれば、スクリーンＳにおいて実質的に合焦状態を保ったまま、投影画像の大きさをＨ２ＳからＨ２Ｌまで変化させることができる。
【００３１】
投射レンズＬは、このように、設定している最適焦点距離を所定間隔で設定した他の最適焦点距離の候補に切替え可能な構成として、スクリーンＳ上でより鮮明な投射画像を得ることを可能とした投射レンズであり、本実施形態における投射レンズＬは、予め設定する最適焦点距離の他に３つの最適焦点距離の候補を備え、任意の最適焦点距離に切換える事ができるようにしている。
【００３２】
さらに、任意の最適焦点距離を切り換えることにより、煩雑な焦点調整を行うことなく投影画像の大きさの変化範囲を切り換えることができる。すなわち、煩雑な焦点調整作業を行わずとも本画像投射装置ＡをスクリーンＳから所定距離に設置するだけで、スクリーンＳにおいて、このスクリーンＳの大きさに合った投影画像を得ることができる。
【００３３】
本実施形態における画像投射装置は、投射レンズの製造時或いは組立て時において予め設定しておく最適焦点距離を、ユーザが使用時に容易に認識できるように明示しておき、その設定した最適焦点距離の前後には他の複数の最適焦点距離候補を設けると共にその焦点距離を容易に認識できるような距離目盛を設けて、ユーザが、画像投射装置の最適焦点距離を、その正確な距離を認識しながら容易に切替える事ができるようにしている。
【００３４】
ユーザは予め設定及び明示された最適焦点距離に合わせて投射レンズから投影面までの投射距離を設定するようにするか、或いは使用条件に見合わない場合は、他の複数の最適焦点距離候補から使用状況に見合う最適焦点距離を選択して切換え設定するようにする。
【００３５】
設定し得る最適焦点距離の幅を数パターン揃えて製造販売するようにすれば、ユーザは利用状況に適した最適焦点距離候補が設定された投射レンズ及びこの投射レンズを備えた画像投射装置を購入すれば良く、ユーザの選択の幅を広げる事ができる。また、設定した最適焦点距離における被写界深度内で、スクリーンに投影できる最大の画像サイズを視認可能とした画像サイズ目盛りを、投射レンズに表記した距離目盛と並列して、或いは距離目盛に代えて設け、画像投射装置において、この画像サイズ目盛の幅を数パターン揃えて製造販売するようにすれば、ユーザは、ユーザの保有しているスクリーンの大きさに合ったサイズの画像を投射可能である画像投射装置を選択して購入すれば良く、ユーザの選択の幅をさらに拡大させることができて、ユーザにより好適な画像表示装置を提供することができる。
【００３６】
本実施形態に係る画像投射装置Ａは、上記のように被写界深度内において真にピントが合う位置である最適焦点距離をユーザが容易に把握する事ができると共に他の複数の所定最適焦点距離候補へ切換え設定する事ができる投射レンズを備えている。
【００３７】
以下、本発明における特徴的構成である投射レンズＬについて図３、図４を参照して詳説する。図３は、本発明の第１実施形態に係る画像投射装置Ａが備える投射レンズＬの模式的断面図、図４（ａ）（ｂ）は、本発明の第１実施形態に係る画像投射装置Ａが備える投射レンズＬの模式的側面図、図４（ｃ）は、図４（ａ）（ｂ）に示す第１実施形態に係る画像投射装置Ａが備える投射レンズＬの更に別の形態を示す説明図である。
【００３８】
図３、図４に示すように、投射レンズＬは、複数の光学レンズ２を備える投射レンズ保持部３を、鏡筒４の内方に配置して構成している。投射レンズ保持部３は、前玉レンズ２ａを備える第１の投射レンズ保持部３ａと、前玉レンズ２ａ後方のレンズ群２ｂを備える第２の投射レンズ保持部３ｂとを分割可能に備えており、第２の投射レンズ保持部３ｂを鏡筒４に固定すると共に第１の投射レンズ保持部３ａを光軸方向へ移動可能として、第１の投射レンズ保持部３ａと第２の投射レンズ保持部３ｂとの光軸方向における相対距離を変更できるように構成している。そして、鏡筒４は、第１の投射レンズ保持部３ａを光軸方向に沿った複数の異なる位置で係止する投射レンズ保持部係止機構として、４つの係合部８ａ，８ｂ，８ｃ，８ｄを備えており、これら第１の投射レンズ保持部３ａと係合部８とを、画像投射装置Ａの最適焦点距離を異ならしめるためのレンズの位置決め機構として機能させている。
【００３９】
第１の投射レンズ保持部３ａは、その外周面の上下側面においてそれぞれ突出する係止部５と、一側面において容易に識別できるような色彩或いは模様を施した視認マーク６とを備え、この第１の投射レンズ保持部３ａを保持させる鏡筒４は、係止部５を係止する４個の係合部８ａ，８ｂ，８ｃ，８ｄと、この４個の係合部８ａ，８ｂ，８ｃ，８ｄにそれぞれ対応させて設けた４つの開口窓７ａ，７ｂ，７ｃ，７ｄと、この４つの開口窓７ａ，７ｂ，７ｃ，７ｄに対応させて設けられると共に、第１の投射レンズ保持部３ａの係止部５をそれぞれの係合部８に係止することで決定される画像投射装置Ａの最適焦点距離を明示した距離目盛９と、を備えている。
【００４０】
係止部５をいずれかの係合部８に係止した時、第１の投射レンズ保持部３ａに設けた視認マーク６を係合部８に対応する開口窓７から視認可能であるように覗かせて、この開口窓７に対応する距離目盛９を確認することで、第１の投射レンズ保持部３ａの係止位置によって決定される最適焦点距離を容易に認識できるようにしている。なお、図４(ａ)〜(ｃ)は、係止部５を係合部８ｄに係止して画像投射装置Ａの最適焦点距離が３０ｃｍに設定されている状態を示している。図４に示すように、現在設定されている最適焦点距離と、その他に設定可能な最適焦点距離の候補とが容易に認識できるようにしている。
鏡筒４は、画像投射装置Ａ本体から突出する突出部分において、円筒形体の本体を光軸方向に沿って一対の半円筒形の割形４ａ，４ｂに分割して、一方の割形４ａを光軸方向へスライドさせて他方の割形４ｂから着脱可能な構成としている。
【００４１】
両割形４ａ，４ｂの内周面には、第１の投射レンズ保持部３ａを係止するための投射レンズ保持部係止機構として、それぞれ４個の係合部８ａ，８ｂ，８ｃ，８ｄを光軸に沿って各焦点距離に応じた所定間隔で配置すると共に、一方の割形４ａには、内方に備える第１の投射レンズ保持部３ａを視認可能に設けた４個の開口窓７ａ，７ｂ，７ｃ，７ｄを、光軸方向に沿いかつ光軸線上においてそれぞれの係合部８と略同一円上に位置するよう設けている。そしてそれぞれの開口窓７の傍らには、それぞれの係合部８に第１の投射レンズ保持部３ａを係止することによって決定される画像投射装置Ａの最適焦点距離を明示した距離目盛９を設けている。従って、第１の投射レンズ保持部３ａの係止部５をどの係合部８に係止すれば最適焦点距離をどの距離に設定する事ができるかを、係合部８に対応させて設けた開口窓７と、この開口窓７に対応させて設けた距離目盛９とを確認すれば容易に認識できるような構成としている。
【００４２】
また、図４(ｃ)に示すように、開口窓７に対応させて、距離目盛９ａと共に画像サイズ目盛９ｂを表記するようにしても良い。図４（ｃ）においては、係止部５を、４個の係合部８ａ，８ｂ，８ｃ，８ｄのいずれかに係合したときに設定される最適焦点距離を示す距離目盛９ａと共に、この距離目盛９ａが示す最適焦点距離における被写界深度内で投影可能な最大の画像サイズを示す画像サイズ目盛９ｂを設けている。すなわち、図４(ｃ)においては、最適焦点距離を、距離目盛９ａに示す４つの最適焦点距離６０、５０、４０、３０ｃｍにそれぞれ設定した時、その被写界深度内にて投影可能な画像サイズは、それぞれ５０、４２、３３、２５インチであることを示している。
【００４３】
なお、図４(ｃ)に示すように距離目盛９ａと画像サイズ目盛９ｂを併記することに限られず、距離目盛９ａに代えて画像サイズ目盛９ｂを設けるようにしても良い。
【００４４】
このように画像サイズ目盛を設けることで、画像投射装置の、スクリーンサイズに応じた設置距離を容易に知ることができ、画像投射装置を、適切な位置に確実に設置することができる。また、画像投射装置において、設定できる画像サイズの範囲を複数パターン製造販売することで、ユーザの選択の幅を拡大することができて、よりユーザのニーズに沿った画像投射装置を提供することができる。
【００４５】
ここで、本発明の画像投射装置において、最適焦点距離を異ならしめるレンズの位置決め機構について、上記の構成以外の構成とすることもできる。
【００４６】
以下、本発明の他の実施形態について図面を参照して説明する。なお、同一の構成要件についてはそれぞれ同一の符号を付することでその説明を省略する。
【００４７】
[第２実施形態]
以下、本発明の第２実施形態について図５、図６を参照して説明する。
【００４８】
図５は、本発明の第２実施形態に係る画像投射装置Ａ１が備える投射レンズＬ１の模式的側面図、図６は、本発明の第２実施形態に係る画像投射装置Ａ１が備える投射レンズＬ１の模式的説明図である。
【００４９】
第２実施形態に係る画像投射装置Ａ１が備える投射レンズＬ１は、第１の投射レンズ保持部１３ａに画像投射装置Ａ１の最適焦点距離候補を表記した距離目盛１９を備え、鏡筒１４に備えた開口窓１７から現在設定されている画像投射装置Ａ１の最適投射距離を示す距離目盛１９を露出させる構成とした投射レンズである。
【００５０】
図５に示すように、第１の投射レンズ保持部１３ａは、外周面の上下左右の側面にそれぞれ突出させて設けた係止部１５と、外周面の側方に光軸に沿って所定間隔で表記された距離目盛１９とを備えている。また鏡筒１４は図６（ｂ）に示すように、光軸に沿って伸延して係止部１５を光軸方向にガイドする４つのガイド溝１１と、それぞれのガイド溝１１の光軸方向において各焦点距離に応じた所定間隔で設けられると共に、ガイド溝１１と直交する方向へ伸延してガイド溝１１からガイドされた係止部１５を係止する４つの係合部１８ａ，１８ｂ，１８ｃ，１８ｄとを備え、また鏡筒１４の一側面には、内方に保持する第１の投射レンズ保持部１３ａが備える距離目盛１９の一部を露出可能に設けられた開口窓１７とを備えている。
【００５１】
距離目盛１９は、図５に示すように、係止部１５がガイド溝１１に位置してｆｒｅｅの状態にあるときに開口窓１７及び補助窓１６から露出させる第１の距離目盛１９ａと、係止部が係合部１８に位置してｌｏｃｋされた状態にあるときに開口窓１７及び補助窓１６から露出させる第２の距離目盛１９ｂとを備え、それぞれの距離目盛１９の表記形態を異にすることで第１の投射レンズ保持部１３ａが移動可能な状態であるか固定された状態であるかを容易に判別できるようにしている。
【００５２】
鏡筒１４内において第１の投射レンズ保持部１３ａを光軸方向へ移動させて、所望の最適焦点距離を示す第１の距離目盛１９ａが開口窓１７から露出した位置にある状態で係止部１５を係合部１８へ係止させると、開口窓１７から露出する第１の距離目盛１９ａがｌｏｃｋ状態を示す第２の距離目盛１９ｂに切り替わり、投射レンズＬ１が所望の最適焦点距離に設定されたことを示す。図５においては、画像投射装置Ａ１の最適焦点距離を４０ｃｍに設定した状態を示しており、このように、第１の投射レンズ保持部１３ａの係止位置によって決定される最適焦点距離が容易に視認できるような構成としている。
【００５３】
鏡筒１４は、開口窓１７に凸レンズを備えて距離目盛１９を拡大表示し、距離目盛１９をさらに容易に視認できるようにすると共に、開口窓１７から筐体１方向へ伸延する補助窓１６を設けて、他の最適焦点距離候補をも視認できるようにしている。
【００５４】
[第３実施形態]
以下、本発明の第３実施形態について図７を参照して説明する。図７は、本発明の第３実施形態に係る画像投射装置Ａ２が備える投射レンズＬ２の模式的側面図である。
【００５５】
第３実施形態に係る画像投射装置Ａ２が備える投射レンズＬ２は、鏡筒２４と第１の投射レンズ保持部２３ａを固定する固定手段を、第１の投射レンズ保持部２３ａの係止位置を視認するための視認手段としても用いるようにした投射レンズＬ２である。
【００５６】
図７に示すように、第１の投射レンズ保持部２３ａは、その一側面に図示しないネジ孔を備え、鏡筒２４は、光軸に沿って各焦点距離に応じた所定間隔で穿設された４つの開口窓２７ａ，２７ｂ，２７ｃ，２７ｄを備えている。
【００５７】
第１の投射レンズ保持部２３ａに備えたネジ孔を、任意の位置の開口窓２７において、ネジ２６で締着固定するようにして、鏡筒２４における第１の投射レンズ保持部２３ａの位置を決定する。
【００５８】
鏡筒２４には、第１の投射レンズ保持部２３ａをそれぞれの開口窓２７に固定することで決定される画像投射装置Ａ２の最適焦点距離をそれぞれの開口窓２７に対応させて表記した距離目盛２９を備えており、締着したネジ２６の頭部を確認することで第１の投射レンズ保持部２３ａの固定位置、及び現在設定されている最適焦点距離を容易に視認できるようにしている。
【００５９】
また、投射レンズＬ２は、第１の投射レンズ保持部２３ａの上下側面から突出する２つの係止部２５を備え、鏡筒２４の上下内周面に、係止部２５をそれぞれ係合するガイド溝２１光軸に沿って設けて、ガイド孔２１内に係合された係止部２５を摺動操作することで第１の投射レンズ保持部２３ａを光軸方向へ摺動自在な構成とし、鏡筒２４内における第１の投射レンズ保持部２３ａの光軸方向の位置を容易かつ確実に変更できるようにしている。
【００６０】
[第４実施形態]
以下、本発明の第４実施形態について図８を参照して説明する。
【００６１】
図８は、本発明の第４実施形態に係る画像投射装置Ａ３が備える投射レンズＬ３の模式的側面図である。
【００６２】
第４実施形態に係る画像投射装置Ａ３が備える投射レンズＬ３は、鏡筒３４に備えた開口窓３７から第１の投射レンズ保持部３３ａに備えた係止部３５を突出させるようにして、この係止部３５を第１の投射レンズ保持部３３ａの固定手段として、視認手段として、また移動操作手段として用いるように構成した投射レンズＬ３である。
【００６３】
図８に示すように、投射レンズＬ３は、第１の投射レンズ保持部３３ａの両側面に、それぞれ突出する係止部３５を設け、鏡筒３４の両側にはそれぞれの係止部３５を係合するように設けた開口窓３７を備えている。そして、開口窓３７は、光軸方向に伸延して係止部３５を光軸方向へガイドするガイド孔３１と、ガイド孔３１において各焦点距離に応じた所定間隔で設けられると共にガイド孔３１と直交する方向へ伸延してガイド孔３１からガイドされた係止部３５を係止する４つの係合孔３８ａ，３８ｂ，３８ｃ，３８ｄとを備えている。
【００６４】
係止部３５を任意の係合孔３２へガイドすることで係止部３５を挟持固定して第１の投射レンズ保持部３３ａを鏡筒３４内の任意の位置にて固定するようにしている。
【００６５】
係止部３５は開口窓３７から突出するように構成して、この係止部３５の係止位置を確認することで現在設定されている画像投射装置Ａ３の最適焦点距離を容易に確認できるようにしているし、係止部３５を操作することで第１の投射レンズ保持部３３ａを容易に移動させることができて他の最適焦点距離候補へ容易に切替可能としている。
【００６６】
なお、図８は、画像投射装置Ａ３の最適焦点距離を４０ｃｍに設定した状態を示している。
【００６７】
[第５実施形態]
以下、本発明の第５実施形態について図９、図１０を参照して説明する。
【００６８】
図９は、本発明の第５実施形態に係る画像投射装置Ａ４が備える投射レンズＬ４の模式的側面図であり、図１０は、本発明の第５実施形態に係る画像投射装置Ａ４が備える投射レンズＬ４の模式的正面図及び模式的展開図である。
【００６９】
第５実施形態に係る画像投射装置Ａ４が備える投射レンズＬ４は、鏡筒４４において、第１の投射レンズ保持部４３ａを鏡筒４４の光軸方向における所定位置で係止するための投射レンズ保持部係止機構を、より密な所定間隔で設けてなる投射レンズＬ４である。すなわち、第１の投射レンズ保持部４３ａを光軸方向へ移動させる距離を密に設定して、画像投射装置Ａ４の最適焦点距離をより密な間隔で設定できるようにした投射レンズである。
【００７０】
図９、図１０において投射レンズＬ４は、画像投射装置Ａ４の最適投射距離を、例として３０、４０、５０、６０ｃｍの４つの候補距離に設定できるような構成としており、現在５０ｃｍの距離に最適焦点距離が設定されている状態を示している。
【００７１】
図９、図１０に示すように、第１の投射レンズ保持部４３ａは、その周面から突出する係止部４５を備え、鏡筒４４は、係止部４５を係止可能な４つの係合孔４８ａ，４８ｂ，４８ｃ，４８ｄを、鏡筒４４の周面を周方向に略４等分する位置で、それぞれの係合孔４８が光軸方向へ各焦点距離に応じた所定間隔をなすように設けている。図１０（ｂ）に示すように、係合孔４８を周方向に間隔を存した位置に設けることで、それぞれの係合孔４８が光軸方向になす間隔を密に設定できるようにしている。
【００７２】
鏡筒４４の内周面には、光軸と直交する方向に伸延して係止部４５を４つの係合孔４８ａ，４８ｂ，４８ｃ，４８ｄへガイドするガイド溝４１を備えており、係止部４５を、任意の係合孔４８までスムーズに摺動させて位置決め操作を容易に行なえるようにしている。
【００７３】
また、鏡筒４４の側面には開口窓４７を設け、第１の投射レンズ保持部４３ａには、画像投射装置Ａ４の最適焦点距離候補を表記すると共に開口窓４７から露出させるようにした距離目盛４９を設けている。
【００７４】
距離目盛４９は、第１の投射レンズ保持部４３ａが固定されている状態、ｌｏｃｋ状態であることを示す表記形態と、第１の投射レンズ保持部４３ａが可動状態、ｆｒｅｅ状態であることを示す表記形態とに分けて表記するようにして、開口窓４７から最適焦点距離を容易に視認できるようにすると共に、第１の投射レンズ保持部４３ａがｌｏｃｋ状態にあるかｆｒｅｅ状態にあるかを容易に判別できるようにしている。
【００７５】
なお、上記第１〜第５実施形態において、投射レンズを構成するレンズのうち前玉レンズ２ａのみを移動させるようにしたが、これに限らず、前玉レンズを含む光学レンズ群２を移動させる構成としても良い。すなわち、第１の投射レンズ保持部と第２の投射レンズ保持部とを含む投射レンズ保持部全体を移動させる構成とし、この投射レンズ保持部を移動させることで決定される画像投射装置の最適焦点距離を開口窓及び距離目盛において表示するようにした画像投射装置とすることもできる。
【００７６】
また、上記第１〜第５実施形態において、投射レンズ保持部係止機構として４個の係合部を設け、設定可能な最適焦点距離を３０、４０、５０、６０ｃｍの４つの候補として設けることとしたが、例示であってこれに限られることはない。
【図面の簡単な説明】
【００７７】
【図１】本発明の実施の形態に係る画像投射装置の概観図である。
【図２】画像投射装置により画像を投射している状態を示した説明図である。
【図３】本発明の第１実施形態に係る画像投射装置が備える投射レンズの模式的断面図である。
【図４】本発明の第１実施形態に係る画像投射装置が備える投射レンズの模式的側面図である。
【図５】本発明の第２実施形態に係る画像投射装置が備える投射レンズの模式的側面図である。
【図６】本発明の第２実施形態に係る画像投射装置が備える投射レンズの模式的正面図及び模式的展開図である。
【図７】本発明の第３実施形態に係る画像投射装置が備える投射レンズの模式的側面図である。
【図８】本発明の第４実施形態に係る画像投射装置が備える投射レンズの模式的側面図である。
【図９】本発明の第５実施形態に係る画像投射装置が備える投射レンズの模式的側面図である。
【図１０】本発明の第５実施形態に係る画像投射装置が備える投射レンズの模式的正面図及び模式的展開図である。
【符号の説明】
【００７８】
Ａ〜Ａ４  画像投射装置
Ｌ〜Ｌ４  投射レンズ
１  筐体
２ａ  前玉レンズ
３ａ，１３ａ，２３ａ，３３ａ，４３ａ  第１の画像投射レンズ保持部
４，１４，２４，３４，４４  鏡筒
５，１５，２５，３５，４５  係止部
６  視認マーク
７，１７，２７，３７，４７  開口窓
８，１８，３８，４８  係合部
９，１９，２９，３９，４９  距離目盛
【図１】
2008083602.tif 000003
【図２】
2008083602.tif 000004
【図３】
2008083602.tif 000005
【図４】
2008083602.tif 000006
【図５】
2008083602.tif 000007
【図６】
2008083602.tif 000008
【図７】
2008083602.tif 000009
【図８】
2008083602.tif 000010
【図９】
2008083602.tif 000011
【図１０】
2008083602.tif 000012